(57)【要約】【課題】キーを用いてシリンダ錠を不正に解錠操作した場合でも、他のロック手段を用いて不正解錠を防止することができる遊技機の施錠装置を提供する。【解決手段】本体フレーム２の内側に配設されたカム板１１の近傍に取付ブラケット１２が取り付けられ、取付ブラケット１２にカム板１１をロックするロックピン１４が摺動可能に取り付けられる。インナーワイヤ１７とアウターワイヤ１６を有したワイヤケーブル１８がロックピン１４の末端に接続される。インナーワイヤ１７を摺動させてロックピン１４を摺動させるための電磁ソレノイド２３を有した駆動部２０がワイヤケーブル１８の末端に接続される。前面枠を解錠する場合には、駆動部２０を動作させて、ロックピン１４のロックを解除した状態で、シリンダ錠のキーを回し、カム板１１を回動させて、施錠装置を解錠する。【選択図】図１
2006014764.tif 000002
【特許請求の範囲】
【請求項１】
取付板と支持板を断面Ｌ形に曲折して縦長の本体フレームが形成され、該本体フレームの支持板の上部と下部にフックが枢軸を介して傾動可能に枢支され、該上下のフックが該支持板に沿って摺動可能に配設された連結杆により連結され、該本体フレームの中間部にシリンダ錠が取り付けられ、該シリンダ錠の錠軸にカム板が固定され、該カム板が係合可能な係合部が該連結杆に設けられ、該フックが遊技機の本体枠側に取り付けた受け金具の係止部に係止されて施錠する遊技機の施錠装置において、
該本体フレームの内側に配設されたカム板の近傍に取付ブラケットが取り付けられ、該取付ブラケットに該カム板をロックするロックピンが摺動可能に取り付けられ、インナーワイヤとアウターワイヤを有したワイヤケーブルが該ロックピンの末端に接続され、該インナーワイヤを摺動させて該ロックピンを摺動させるための電磁ソレノイドを有した駆動部が該ワイヤケーブルの末端に接続されたことを特徴とする遊技機の施錠装置。
【請求項２】
取付板と支持板を断面Ｌ形に曲折して縦長の本体フレームが形成され、該本体フレームの内側に、上部と下部にフック部を前方に向けて突設した施錠杆が上下摺動可能に配設され、該本体フレームの中間部にシリンダ錠が取り付けられ、該シリンダ錠の錠軸にカム板が固定され、該カム板が係合可能な係合部が該施錠杆に設けられ、該フックが遊技機の本体枠側に取り付けた受け金具の係止部に係止されて施錠する遊技機の施錠装置において、
該本体フレームの内側に配設されたカム板の近傍に取付ブラケットが取り付けられ、該取付ブラケットに該カム板をロックするロックピンが摺動可能に取り付けられ、インナーワイヤとアウターワイヤを有したワイヤケーブルが該ロックピンの末端に接続され、該インナーワイヤを摺動させて該ロックピンを摺動させるための電磁ソレノイドを有した駆動部が該ワイヤケーブルの末端に接続されたことを特徴とする遊技機の施錠装置。
【発明の詳細な説明】
【技術分野】
【０００１】
本発明は、パチンコ機或はスロットマシン等の遊技機の前面枠を施錠する遊技の施錠装置に関する。
【背景技術】
【０００２】
この種の遊技機用の施錠装置として、遊技機の本体枠（キャビネット）の前面にヒンジを介して開閉可能に取り付けられた前面枠（前扉）を施錠するために、前面枠の内側に縦に装着され、本体枠側に取り付けた受け金具にフック状のフックを係止させて施錠する施錠装置が、下記特許文献１などで知られている。
【０００３】
この施錠装置は、通常、取付板と支持板を横断面略Ｌ形に成形してなる縦長の基枠体を有し、その基枠体の内側に、鉤部を上部と下部に前方を向けて突設した施錠杆が摺動可能に配設され、基枠体の取付板の中間部にシリンダ錠が取り付けられ、その錠軸の先端に取り付けたカム板を施錠杆に連結させ、シリンダ錠のキー操作によりカム板を回動させ、施錠杆を摺動させて鉤部を上下に動かし、受け金具との係合を外して解錠する構造である。また、施錠杆には鉤部を施錠側に付勢するコイルばねが掛止され、前面枠を本体枠に対し閉鎖した時、鉤部が受け金具の縁部に当って摺動しながら、係止状態となり、コイルばねの付勢力で、鉤部が係止位置に戻り、施錠状態となるように動作する。
【特許文献１】特開平１２−１１６９１７号公報
【発明の開示】
【発明が解決しようとする課題】
【０００４】
ところで、この種の遊技機は、近年、大当たり入賞状態になれば、多くの球やコインの払出が行なわれる機種が人気を呼び、大当たり入賞の生じる遊技機が多く製造されている。しかし、大当たり入賞の当選の確率は、通常、制御回路内のプログラムやメモリのデータにより決定されることから、遊技場の営業中や非営業中に係らず、遊技機の前面枠を不正に開き、制御回路内の回路部品を不正な部品と交換し、有利な条件で遊技を行なうことにより、不正に多くの球やコインの払出を得るような不正行為が発生している。
【０００５】
遊技機には、殆ど全てに上記のような構造の施錠装置が装着されており、正常なキーを用いてシリンダ錠を操作して、施錠装置を解錠しなければ、遊技機の前面枠は、殆ど開くことが難しい。しかしながら、不正に施錠装置が無理やり或は真正キーから作られた不正キー等を用いて不正解錠が行なわれ、前面枠を開いて、上記のような不正操作が行なわれる場合があった。このため、真正キーから不正に作られた不正キー等により施錠装置が解錠操作された場合であっても、他の手段で施錠装置のロックが働き、不正解錠を阻止することができる施錠装置が要望されていた。
【０００６】
本発明は、上記の点に鑑みてなされたもので、キーを用いてシリンダ錠を不正に解錠操作した場合でも、他のロック手段を用いて不正解錠を防止することができる遊技機の施錠装置を提供することを目的とする。
【課題を解決するための手段】
【０００７】
上記目的を達成するために、本発明の請求項１の施錠装置は、取付板と支持板を断面Ｌ形に曲折して縦長の本体フレームが形成され、該本体フレームの支持板の上部と下部にフックが枢軸を介して傾動可能に枢支され、該上下のフックが該支持板に沿って摺動可能に配設された連結杆により連結され、該本体フレームの中間部にシリンダ錠が取り付けられ、該シリンダ錠の錠軸にカム板が固定され、該カム板が係合可能な係合部が該連結杆に設けられ、該フックが遊技機の本体枠側に取り付けた受け金具の係止部に係止されて施錠する遊技機の施錠装置において、該本体フレームの内側に配設されたカム板の近傍に取付ブラケットが取り付けられ、該取付ブラケットに該カム板をロックするロックピンが摺動可能に取り付けられ、インナーワイヤとアウターワイヤを有したワイヤケーブルが該ロックピンの末端に接続され、該インナーワイヤを摺動させて該ロックピンを摺動させるための電磁ソレノイドを有した駆動部が該ワイヤケーブルの末端に接続され取付板と支持板されたことを特徴とする。
【０００８】
また、請求項２の施錠装置は、取付板と支持板を断面Ｌ形に曲折して縦長の本体フレームが形成され、該本体フレームの内側に、上部と下部にフック部を前方に向けて突設した施錠杆が上下摺動可能に配設され、該本体フレームの中間部にシリンダ錠が取り付けられ、該シリンダ錠の錠軸にカム板が固定され、該カム板が係合可能な係合部が該施錠杆に設けられ、該フックが遊技機の本体枠側に取り付けた受け金具の係止部に係止されて施錠する遊技機の施錠装置において、該本体フレームの内側に配設されたカム板の近傍に取付ブラケットが取り付けられ、該取付ブラケットに該カム板をロックするロックピンが摺動可能に取り付けられ、インナーワイヤとアウターワイヤを有したワイヤケーブルが該ロックピンの末端に接続され、該インナーワイヤを摺動させて該ロックピンを摺動させるための電磁ソレノイドを有した駆動部が該ワイヤケーブルの末端に接続されたことを特徴とする。
【発明の効果】
【０００９】
上記構成の施錠装置は、遊技機の前面枠の内側に縦に取り付けられ、遊技機の本体枠側に取り付けた受け金具の係止部に、上下のフックが係止されて施錠が行なわれる。電磁ソレノイドを内蔵した駆動部は例えば管理用コンピュータに接続された駆動回路に電気的に接続される。そして、通常時にあっては、ロックピンがばね部材により突出し方向に付勢されてカム板の縁部に係合し、カム板の解錠方向への回動を阻止しロックしている。前面枠を閉じると、上下のフックが本体枠側の受け金具に当たって傾動し、フックが受け金具に係止され、施錠状態となる。
【００１０】
前面枠を開く場合、管理用コンピュータから解錠指令信号を駆動回路に出力し、駆動回路（ソレノイド用の電源をオンオフする回路）によって駆動部の電磁ソレノイドが動作する。これにより、ワイヤケーブルのインナーワイヤが摺動してロックピンを非ロック側に摺動させ、カム板のロックピンによるロックが解除される。その状態で、キーをシリンダ錠に差し込み、回動操作すれば、錠軸及びカム板が解錠方向に回動し、前面枠を解錠することができる。
【００１１】
一方、管理用コンピュータから解錠指令信号が出力されず、駆動部の電磁ソレノイドが動作しない状態では、ロックピンがカム板をロックしており、シリンダ錠に差し込んだキーより解錠しようとしても、カム板は動かず、解錠することができない。
【００１２】
例えば、真正キーから不正キーを作り、或は真正キーを使用して不正解錠しようとする者がいた場合、シリンダ錠にキーを差し込み、カム板を回して連結杆または施錠杆を摺動させようとしても、駆動部の電磁ソレノイドによるロックの解除がなければ、施錠装置を解錠することはできず、キーを用いた不正解錠は防止される。
【００１３】
構造的には、既存の施錠装置に対し、取付ブラケットを介してロックピンを本体フレームに取り付け、ワイヤケーブルを介して接続された駆動部は、遊技機内或は島台上などの任意の位置に設置できるため、既存の施錠装置の基本構造を変更することなく、既存の施錠装置に部品を追加組み付けするだけで、簡単に実施することができる。
【００１４】
さらに、通常の遊技機内には非常に多くの電気部品が取り付けられ、電磁ソレノイドを含む駆動部を置くスペースが施錠装置の周辺にない場合が多いが、ワイヤケーブルを介して駆動部を接続しているため、遊技機内の空きスペース、或は島台上の空きスペースにその駆動部を容易に引っ掛けて設置することができる。したがって、既存の遊技機の施錠装置に対しても容易に適用することができる。
【発明を実施するための最良の形態】
【００１５】
以下、本発明の一実施形態を図面に基づいて説明する。図１はパチンコ機の前面枠を施錠する施錠装置の右側面図を含む構成図を示し、図２はその施錠具１の要部拡大背面図を示している。この施錠装置は、パチンコ機の前面枠３１の内側に取り付けられる施錠具１と、その施錠具１の本体フレーム２内に装着されたロックピン１４のピン保持部１５からワイヤケーブル１８を介して接続される駆動部２０と、を備えて構成されている。
【００１６】
施錠具１の本体フレーム２は、図１に示すように、取付板４と支持板３を断面Ｌ形に成形した縦長の本体フレーム２を有し、その支持板３の上部と下部に、鉤状のフック５、６がその中間部を枢軸５ａ，６ａを介して傾動可能に枢支され、両フック５、６の末端部が、本体フレーム２内に摺動可能に配設した連結杆７により、連結軸５ｂ，６ｂを介して連結される。
【００１７】
連結杆７の中間部には、ガイド孔７ａ（長孔）が形成され、そのガイド孔７ａにガイドピン１９が挿通されてその先端が支持板３に固定され、連結杆７は所定の長手方向の移動範囲内で、摺動可能に保持されている。また、連結杆７の中間部には後述のカム板に係合可能な係合部７ｂが形成される。
【００１８】
図２に示すように、本体フレーム２の取付板４の中央下寄りに幅広部が設けられ、そこにシリンダ錠１０が前面に突き出し且つその錠軸を本体フレーム２の内側に挿入する形態で取り付けられる。シリンダ錠１０は、末端にフランジ部１０ａを有し、取付板４に穿設された孔に内側から挿入され、フランジ部１０ａを取付板４の内側にねじで固定し、取り付けられる。シリンダ錠１０の錠軸１０ｂの末端はフランジ部１０ａを通して内側に突出し、その先端にカム板１１が固定される。
【００１９】
カム板１１には第一係合部１１ａと第二係合部１１ｂが設けられ、カム板１１が図２の反時計方向に回動した時、第一係合部１１ａは、上記連結杆７の一部に設けた係合部７ｂに係合可能であり、カム板１１が図２の時計方向に回動した時、第二係合部１１ｂは、後述のガラス枠作動杆８と係合可能である。このカム板１１の反時計方向への回動を阻止するために、ロックピン１４が取付ブラケット１２を介して装着される。取付ブラケット１２は金属帯板を略コ字状に曲折して形成され、その両端がシリンダ錠１０のフランジ部１０ａの固定用ねじで締付固定され、取付ブラケット１２はフランジ部及びカム板１１を覆うように取付けられる。
【００２０】
さらに、取付ブラケット１２上に穿設した孔に取付ナット１３が嵌着され、その取付ナット１３には、ロックピン１４を収納したピン保持部１５がねじ込まれて取り付けられている。ロックピン１４はカム板１１の第二係合部１１ｂの近傍に突出可能に配設され、ロックピン１４はピン保持部１５からその先端をカム板１１側に突き出し、カム板１１の反時計方向への回転をロックすることができる。なお、カム板１１に対するロックピン１４の位置は、ロックピンの突出によりカム板１１の反時計方向への回動を阻止する位置であれば、何れの位置であってもよく、また、カム板１１にはロックピン１４が前進した際に嵌合する孔或は溝を設けておくこともできる。
【００２１】
図２、図４に示すように、ピン保持部１５の末端には可撓性を有したワイヤケーブル１８が接続される。ワイヤケーブル１８は、インナーワイヤ１７とその外側のアウターワイヤ１６からなり、アウターワイヤ１６の先端がピン保持部１５に接続され、インナーワイヤ１７の先端がロックピン１４の末端に連結される。アウターワイヤ１６を保持してインナーワイヤ１７を軸方向に摺動させることにより、ロックピン１４の突き出し動作を行なうことができる。このため、ワイヤケーブル１８の末端に、電磁ソレノイド２３を内蔵した駆動部２０が接続される。
【００２２】
図３に示すように、駆動部２０は、直方体形状の箱型に形成されたケース２１の外壁部に、アウターワイヤ固定部２２を設け、そのアウターワイヤ固定部２２にワイヤケーブル１８の末端を接続し、ケース２１内に電磁ソレノイド２３を収納して構成される。なお、ケース２１内には管理用コンピュータからの解錠指令信号を入力して電磁ソレノイド２３をオン動作させる駆動回路を設けることができる。
【００２３】
ワイヤケーブル１８のアウターワイヤ１６の末端はアウターワイヤ固定部２２に固定され、インナーワイヤ１７の末端はケース２１内の電磁ソレノイド２３のプランジャ２４の先端に取り付けられた連結部２５に連結される。また、連結部２５にはばね部材（コイルばね）２６が掛けられ、プランジャ２４を押し出す方向に付勢している。電磁ソレノイド２３に通電すると、プランジャ２４が引戻され、それに応じてワイヤケーブル１８のインナーワイヤ１７が引戻され、ロックピン１４が引戻し位置に戻る。
【００２４】
さらに、本体フレーム２内には、ガラス枠作動杆８が、支持板３と連結杆７との間に摺動可能に配設される。ガラス枠作動杆８には左側面に突き出した作動片８ａが設けられ、この作動片８ａが図示しないガラス枠施錠具に作用してガラス枠作動杆８の移動に伴い、ガラス枠を解錠動作させる。ガラス枠作動杆８は、摺動方向に沿ってガイド孔を有し、そのガイド孔に、支持板３の一部に取り付けたガイドピン１９を係合させ、所定の範囲で摺動可能に支持されている。また、このガラス枠作動杆８と取付板４との間、及び上記連結杆７と取付板４との間にコイルばね９ａ，９ｂが掛けられ、連結杆７をフック５、６の施錠方向に、ガラス枠作動杆８を非作動方向に付勢している。
【００２５】
上記構成の施錠具１は、図５に示すように、パチンコ機の本体枠３０の前面にヒンジを介して開閉自在に取り付けられた前面枠３１の内側に、フック５，６を本体枠側に向けて、その取付板４を介して縦に固定され、本体枠３０の内側縁部には、フック５，６の対向位置に、受け金具３２，３２が固定される。
【００２６】
一方、ワイヤケーブル１８付きの駆動部２０は、パチンコ機内に空きスペースがある場合はそのスペース内に挿入し、或はパチンコ機が設置される島台上の適当な位置に懸吊し若しくは簡単に取り付けておく。この場合、駆動部２０には電磁ソレノイド２３の電源線と管理用コンピュータから駆動回路に送られる解錠指令信号用の信号線が接続されるものの、駆動部２０は小形軽量であるため、任意の空きスペースに簡単に載置し、取り付け、或は懸吊しておくことができる。
【００２７】
受け金具３２を取り付けた本体枠３０に対し、施錠具１を取り付けた前面枠３１を閉じると、施錠具１の上下のフック５、６の傾斜部が、受け金具３２の係止部に当接しながら下方に回動し、フック５、６のフック凹部の先端が係止部を越えたところで、コイルばね９ｂの付勢力により水平位置に戻るように動作して、フック５、６が係止部に係止され施錠状態となる。
【００２８】
一方、遊技機の前面枠を解錠する場合には、先ず、管理用コンピュータに入力して解錠しようとする遊技機の解錠指令信号を発生させ、その遊技機の施錠具１の駆動部２０に通電を行なう。これにより、図６に示すように、駆動部２０の電磁ソレノイド２３が動作し、プランジャ２４がばね部材２６の付勢力に抗して引戻される。このとき、プランジャ２４に対し連結部２５を介して連結されたインナーワイヤ１７がアウターワイヤ１６に対し引戻され、施錠具１では、ロックピン１４がピン保持部１５内に引戻される。これにより、ロックピン１４によりロックされていたカム板１１の回動ロック状態が解除され、カム板１１は回動可能な状態になる。
【００２９】
次に、その施錠具１のシリンダ錠１０に所定のキーを差し込み右に回すと、同方向にカム板１１が回動し、カム板１１の第一係合部１１ａが連結杆７の係合凹部に係合してそれをコイルばね９ｂの付勢力に抗して上方に摺動させる。これにより、上下のフック５、６が下側に傾動し、受け金具３２，３２に対する係止が外れ、解錠される。
【００３０】
一方、パチンコ機のガラス枠を解錠する場合、シリンダ錠１０に差し込んだキーを左に回すと、カム板１１の第二係合部１１ｂがガラス枠作動杆８に係合してそれを下方に摺動させ、その作動片８ａが図示しないガラス枠施錠具に作用し、ガラス枠を解錠させる。
【００３１】
このように、駆動部２０の電磁ソレノイド２３に通電していない通常時には、ロックピン１４が施錠具１におけるカム板１１の解錠側への回動をロックしているから、キーをシリンダ錠１０に差し込んで解錠操作したとしても、カム板１１を回動することができず、前面枠３１の施錠状態は保持される。そして、管理者の管理用コンピュータによる解錠スイッチ操作と、係員のキー操作の二重操作によってのみ、施錠装置の解錠を行なうことができ、遊技機のセキュリティを、より向上させることができる。また、施錠具１にはロックピン１４を摺動可能にカム板１１の近傍に設置すればよいため、既存の何れの施錠装置に対しても、追加部品を取り付けるだけで、容易に適用することができる。
【００３２】
なお、上記実施形態では、支持板３にフック５，６が傾動可能に枢支され、上下のフック５，６が連結杆７により連結される構造の施錠具１に適用したが、フックを一体的に突設して形成した施錠杆を本体フレーム内に摺動可能に配設した構造の施錠具であっても、本発明を適用することができる。
【図面の簡単な説明】
【００３３】
【図１】本発明の一実施形態を示す施錠装置の右側面図を含む全体構成図である。
【図２】施錠装置の施錠具１の要部拡大背面図である。
【図３】駆動部２０の拡大断面図である。
【図４】カム板１１、ロックピン１４、ワイヤケーブル１８の接続状態を示す分解斜視図である。
【図５】施錠装置の使用状態を示すパチンコ機の斜視図である。
【図６】カム板のロックを解除した非ロック状態を示す施錠具１の部分拡大右側面図である。
【符号の説明】
【００３４】
１−施錠具
２−本体フレーム
３−支持板
４−取付板
５，６−フック
７−連結杆
１０−シリンダ錠
１１−カム板
１２−取付ブラケット
１４−ロックピン
１８−ワイヤーケーブル
２０−駆動部
２３−電磁ソレノイド
【図１】
2006014764.tif 000003
【図２】
2006014764.tif 000004
【図３】
2006014764.tif 000005
【図４】
2006014764.tif 000006
【図５】
2006014764.tif 000007
【図６】
2006014764.tif 000008